(57)【要約】【課題】倒れた際に電解液が外部に漏れたり、電槽内に設けられている一連のセル室内の電解液量が不均一になったりするのを防ぐことができる鉛蓄電池を提供する。【解決手段】電槽の蓋部３に設けた中蓋部４と上蓋部５との間に電槽内のセル室に対応する排気室Ｄ1ないしＤ6を形成して、各排気室を中蓋部の端部に設けた集中排気室Ｅ1，Ｅ2に接続する。各排気室のいずれかの内側面から突出して先端が他の内側面に隙間を介して対向した仕切壁（Ａ2，Ｂ2等）を少なくとも１つ設けて、仕切壁により排気室内を複数の排気分室に仕切る。仕切壁の途中から突出して排気室の底面の傾斜の低い方に伸びる少なくとも１つの枝状突出壁（ａ2，ｂ2等）を設けて、仕切壁と枝状突出壁と排気室の内側面とにより、電槽が転倒した際に環流孔から流出する電解液を溜める蓄液室を各排気室内に形成する。【選択図】    図３
2010272264.tif 000002
【特許請求の範囲】
【請求項１】
全体がほぼ直方体状を呈する電槽本体と該電槽本体の上端の開口部を閉じる蓋部とを有して前記電槽本体の横断面の長辺に沿う方向及び短辺に沿う方向をそれぞれ長手方向及び幅方向とした電槽を備えて、前記電槽の長手方向に沿って並ぶ複数のセル室が前記電槽本体の内部に形成され、前記蓋部は前記電槽の長手方向の一端と他端との間を延びていて前記電槽の長手方向に沿う方向及び幅方向に沿う方向をそれぞれ長手方向及び幅方向とした中蓋部と該中蓋部に設けられた排気室構成部の上に接合された上蓋部とからなっていて、前記複数のセル室にそれぞれ対応する複数の排気室が前記中蓋部の排気室構成部と上蓋部との間に形成され、各排気室と対応するセル室との間を隔てる各排気室の底壁部を貫通して還流孔が設けられ、前記電槽の長手方向の少なくとも一端寄りの位置に前記中蓋部と上蓋部との間に位置させて集中排気室が設けられ、各排気室には個別排気口が設けられて該個別排気口が前記中蓋部と上蓋部との間に設けられた排気流路を通して前記集中排気室に接続され、各排気室の底面には前記還流孔に向って徐々に低くなる傾斜がつけられ、各排気室は前記中蓋部の長手方向に相対する一対の内側面と前記中蓋部の幅方向に相対する一対の内側面との４つの内側面を有し、各排気室内には、各排気室のいずれかの内側面から突出して他の内側面側に伸びるように設けられて先端が該他の内側面に隙間を介して対向させられた仕切壁が少なくとも１つ設けられ、前記仕切壁は前記還流孔側に傾斜した状態で設けられて該仕切壁により前記排気室内が前記隙間を通して相互に接続された複数の排気分室に仕切られている鉛蓄電池において、
前記仕切壁の途中から突出して前記排気室の底面の傾斜の低い方に伸びる少なくとも１つの枝状突出壁が設けられ、
前記仕切壁と前記枝状突出壁と前記排気室の内側面とにより、前記電槽が転倒した際に前記環流孔から流出する電解液を溜める蓄液室が各排気室内に少なくとも１つ形成されていること、
を特徴とする鉛蓄電池。
【請求項２】
前記仕切壁の途中から突出した枝状突出壁の先端は、他の仕切壁の側面または排気室の内側面に狭間隙を介して対向させられていることを特徴とする請求項１に記載の鉛蓄電池。
【請求項３】
前記枝状突出壁の先端と前記他の仕切壁の側面または排気室の内側面との間の距離は、前記還流孔に還流する液を前記狭間隙を通して流すために必要最小限の大きさに設定されていることを特徴とする請求項２に記載の鉛蓄電池。
【請求項４】
前記枝状突出壁の側方に形成される前記蓄液室の容積を最大にするように前記枝状突出壁の位置が設定されていることを特徴とする請求項１，２または３に記載の鉛蓄電池。
【請求項５】
各排気分室の出入り口は、出口が入口に対して逆の位置に配置されるように設けられていることを特徴とする請求項１ないし４のいずれか１つに記載の鉛蓄電池。
【請求項６】
前記仕切壁は、各排気室の４つの内側面の内、前記中蓋部の長手方向に相対する一対の内側面のそれぞれに少なくとも１つずつ設けられ、
各排気室内に設けられた各仕切壁は、前記中蓋部の長手方向に対して前記環流孔側に傾斜した状態で設けられ、
各枝状突出壁は前記中蓋部の幅方向に伸びるように設けられていること、
を特徴とする請求項１ないし５のいずれか１つに記載の鉛蓄電池。
【請求項７】
各排気室内には前記蓄液室が複数形成され、
前記複数の蓄液室は、前記電槽が転倒して前記電槽の幅方向の一端が他端よりも下方に位置した状態になったときに漏出した電解液を溜める蓄液室と、前記電槽が転倒して前記電槽の幅方向の他端が一端よりも下方に位置した状態になったときに漏出した電解液を溜める蓄液室と、前記電槽が転倒して前記電槽の長手方向の一端が他端よりも下方に位置した状態になったときに漏出した電解液を溜める蓄液室と、前記電槽が転倒して前記電槽の長手方向の他端が一端よりも下方に位置した状態になったときに漏出した電解液を溜める蓄液室とを含むことを特徴とする請求項１ないし６のいずれか１つに記載の鉛蓄電池。
【請求項８】
前記環流孔は単一の孔からなっている請求項１ないし７のいずれか一つに記載の鉛蓄電池。
【請求項９】
前記環流孔は複数の孔の集合体らなっている請求項１ないし７のいずれか一つに記載の鉛蓄電池。
【発明の詳細な説明】
【技術分野】
【０００１】
本発明は、電槽の蓋部内に排気室が形成された鉛蓄電池に関するものである。
【背景技術】
【０００２】
モノブロック式の鉛蓄電池は、全体がほぼ直方体状をなすように形成された電槽本体と該電槽本体の上端の開口部を閉じる蓋部とを有する電槽を備えている。電槽の内部には、その長手方向に沿って並ぶ複数のセル室が形成されている。正極板と負極板とをセパレータを介して積層してなる極板群が各セル室内に電解液と共に収容されてセルが構成され、各セル室内のセルが、隣接するセル室内のセルにセル間接続部を通して接続されることにより蓄電池が構成されている。電槽の蓋部には、その長手方向の一端及び他端に位置させて、正極端子及び負極端子が取り付けられている。
【０００３】
この種の鉛蓄電池においては、各セル室内のガス圧の上昇を防ぐために、各セル室内の圧力を解放し得るようにしておく必要がある。そのため、電解液の漏出を防ぎながらガスを排出し得る構造の排気栓を各セル室毎に設けたものが広く用いられていたが、各セル室毎に排気栓を設けると、各セル室内から排気栓を通して外部に排出された電解液のミストがそのまま大気中に散逸してしまうため、定期的に電解液を補給することが必要になり、メンテナンスフリー化を図ることができない。このような問題を解決した鉛蓄電池として、電槽の蓋部内に各セル室に対応する排気室を設けて、各セル室内から出た電解液のミストを排気室内に留め、排気室内で液化した電解液を各セル室内に環流させるようにしたものが知られている。
【０００４】
この種の鉛蓄電池においては、特許文献１に示されているように、電槽の蓋部が、電槽の長手方向の一端と他端との間を延びていて電槽の長手方向に沿う方向及び幅方向に沿う方向をそれぞれ長手方向及び幅方向とした中蓋部と該中蓋部に設けられた排気室構成部の上に接合された上蓋部とからなっていて、複数のセル室にそれぞれ対応する複数の排気室が中蓋部の排気室構成部と上蓋部との間に形成されている。また各排気室と対応するセル室との間を区画する各排気室の底壁部を貫通して環流孔が設けられ、各排気室の底面には、環流孔が設けられた部分が最も低くなるように傾斜がつけられている。
【０００５】
電槽の長手方向の少なくとも一端寄りの位置に、中蓋部と上蓋部との間に位置させて集中排気室が設けられている。各排気室には個別排気口が設けられていて、該個別排気口が中蓋部と上蓋部との間に設けられた排気流路を通して集中排気室に接続されている。集中排気室は、排気孔を通して外部に開放されていて、集中排気室に達した排気ガスが排気孔を通して外部に排出されるようになっている。
【０００６】
各排気室内には、各セル室内から環流孔を通して排気されたガスの移動を適宜に妨げる障壁部が形成され、各セル室内から環流孔を通して対応する排気室内に排気されたガスが、障壁部に接触しながら個別排気口に向けて移動していく過程で、ガス中に含まれる電解液のミストを液化させるようになっている。液化された電解液は、排気室の傾斜した底面を伝って、環流孔からセル室内に環流させられるため、各セル室内の電解液の減少が抑制される。
【０００７】
中蓋部にはまた、各排気室の底壁部を貫通して各セル室内に連通した電解液注入口が設けられている。中蓋部及び上蓋部には、各セル室内の電解液注入口の周囲を囲む筒状部が設けられ、上蓋部が中蓋部に接合された際に、上蓋部側の筒状部と中蓋部側の筒状部とが相互に接合されることにより、電解液注入口が閉鎖されて排気室内の空間から隔離されるようになっている。
【先行技術文献】
【特許文献】
【０００８】
【特許文献１】特開２００５−１６６３１８号公報
【発明の概要】
【発明が解決しようとする課題】
【０００９】
上記のように、各セル室に対応する排気室を設けて、各排気室の底壁部に環流孔を設けた鉛蓄電池では、電池を運搬している際等に電槽が倒れると、セル室内から環流孔を通して排気室内に電解液が漏出する。セル室から排気室内に大量の電解液が漏出すると、漏出した電解液がやがて集中排気室に達して集中排気室に設けられた集中排気孔から外部に漏れ出し、周囲を汚損させるおそれがある。
【００１０】
また特許文献１に示された鉛蓄電池では、転倒した際に各セル室から各排気室内に漏出した電解液が個別排気口から他の排気室内に流入する。この場合、他の排気室内に流入した電解液は、電池を転倒状態から正常な状態に復帰させた際に元のセル室に戻るとは限らないため、一度電池を転倒させると、セル室内の電解液の量が不均一になるという問題があった。
【００１１】
特に、電池がその電槽の長手方向の一端を下にして転倒した際には、各セル室から各排気室内に漏出した電解液が、各排気室よりも低い位置にある他の排気室側に移動し、転倒した電池を起こした際には、下方に移動した電解液が、転倒していたときに下方に配置されていたセル室内により多く戻るため、電槽の長手方向の端部寄りに位置するセル室内の電解液の量が多くなり、電槽の長手方向の中央部寄りに配置されたセル室内の電解液の量が極端に少なくなる状態が生じる。一度このような状態が生じると、各セル室内に均一な量の電解液が収容された状態に戻すことはできないため、電池を正常に機能させることができなくなる。
【００１２】
本発明の目的は、倒れた際に大量の電解液が外部に漏れ出するのを防ぐことができるようにした鉛蓄電池を提供することにある。
【００１３】
本発明の他の目的は、倒れた際に大量の電解液が外部に漏れ出するのを防ぐとともに、電槽内に設けられている一連のセル室内の電解液量が不均一になるのを防ぐことができるようにした鉛蓄電池を提供することにある。
【課題を解決するための手段】
【００１４】
本明細書には、上記の目的を達成するため、第１ないし第９の発明が開示されている。本発明の構成についての理解を容易にするため、以下の説明では、後述する発明の実施形態の説明で用いる図面に記載された参照符号を並記することにする。
【００１５】
（第１の発明）
第１の発明は、上記の目的を達成するための発明の基本的な構成を示したものである。本発明が対象とする鉛蓄電池は、全体がほぼ直方体状に形成された電槽本体２と該電槽本体２の上端の開口部を閉じる蓋部３とを有して電槽本体の横断面の長辺に沿う方向及び短辺に沿う方向をそれぞれ長手方向及び幅方向とした電槽１を備えており、電槽本体２の内部には、その長手方向に沿って並ぶ複数のセル室が形成されている。電槽の蓋部３は、電槽の長手方向の一端と他端との間を延びていて電槽の長手方向に沿う方向及び幅方向に沿う方向をそれぞれ長手方向及び幅方向とした中蓋部４と該中蓋部に設けられた排気室構成部４００の上に接合された上蓋部５とからなっていて、複数のセル室にそれぞれ対応する複数の排気室Ｄ1ないしＤ6が中蓋部の排気室構成部と上蓋部との間に形成されている。
【００１６】
各排気室と対応するセル室との間を隔てる各排気室の底壁部を貫通して環流孔ｈが設けられ、電槽の長手方向の少なくとも一端寄りの位置に中蓋部４と上蓋部５との間に位置させて集中排気室Ｅ1，Ｅ2が設けられている。
【００１７】
各排気室には個別排気口ｅ1〜ｅ6が設けられて該個別排気口が中蓋部４と上蓋部５との間に設けられた排気流路を通して集中排気室Ｅ1，Ｅ2に接続され、各排気室の底面には還流孔ｈに向って徐々に低くなる傾斜がつけられている。集中排気室は、排気孔３５を通して外部に開放されていて、集中排気室に達した排気ガスが排気孔３５を通して外部に排出される。
【００１８】
各排気室は、中蓋部４の長手方向に相対する一対の内側面Ｓａ及びＳbと、中蓋部の幅方向に相対する一対の内側面Ｓc及びＳdとの４つの内側面を有している。各排気室内には、各排気室のいずれかの内側面から突出して他の内側面側に伸びるように設けられて先端が該他の内側面に隙間を介して対向させられた仕切壁（Ａ1，Ａ2，Ｂ1，Ｂ2）が少なくとも１つ設けられている。各仕切壁は還流孔側に傾斜した状態で設けられていて、仕切壁により各排気室内が上記の隙間を通して相互に接続された複数の排気分室に仕切られている。
【００１９】
本発明においては、仕切壁の途中から突出して排気室の底面の傾斜の低い方に伸びる少なくとも１つの枝状突出壁（ａ1，ａ2，ｂ1，ｂ2）が設けられ、仕切壁と枝状突出壁と排気室の内側面とにより、電槽が転倒した際に環流孔から流出する電解液を溜める蓄液室が各排気室内に少なくとも１つ形成されている。
【００２０】
上記のように仕切壁の途中から排気室の底面の傾斜の低い方に伸びる少なくとも１つの枝状突出壁を設けておくと、電槽が転倒した際に環流孔から流出する電解液を溜める容積が大きい蓄液室を各排気室内に形成することができるため、電槽が転倒した際に電解液が外部に漏れるのを抑制することができる。
【００２１】
（第２の発明）
第２の発明は、第１の発明に適用されるもので、本発明においては、仕切壁の途中から突出した枝状突出壁の先端が、他の仕切壁の側面または排気室の内側面に狭間隙を介して対向させられている。
【００２２】
上記のように構成すると、電槽が転倒した際に環流孔から漏出した電解液の流れを狭間隙の部分で抑制することができるため、電槽が転倒した際に電解液が外部に漏れるのを抑制することができる。
【００２３】
（第３の発明）
第３の発明は第２の発明に適用されるもので、本発明においては、枝状突出壁の先端と前記他の仕切壁の側面または排気室の内側面との間の距離が、還流孔に還流する液を前記狭間隙を通して流すために必要最小限の大きさに設定されている。
【００２４】
上記のように構成すると、電槽が転倒した際に電解液が外部に漏れるのを抑制する効果を高めることができる。
【００２５】
（第４の発明）
第４の発明は第１，２または３の発明のいずれかに適用されるもので、本発明においては、蓄液室の容積を最大にするように枝状突出壁の位置が設定されている。
【００２６】
本発明のように構成すると、電槽が転倒した際に排気室内に留めることができる電解液の量を増やすことができるため、電解液が外部に漏れるのを抑制する効果を高めることができる。
【００２７】
（第５の発明）
第５の発明は、第１ないし第４の発明のいずれかに適用されるもので、本発明においては、各排気分室の出入り口が、出口が入口に対して逆の位置に配置されるように設けられている。
【００２８】
本発明のように構成すると、各排気分室の入口と出口との間の距離を長くすることができるため、電槽が転倒した際に各排気室内に流入した電解液が出口に到達し難くすることができ、各排気室から電解液が漏出するのを抑制する効果を高めることができる。
【００２９】
（第６の発明）
本発明は、第１ないし第５の発明のいずれかに適用されるもので、本発明においては、仕切壁が、各排気室の４つの内側面の内、中蓋部の長手方向に相対する一対の内側面のそれぞれに少なくとも１つずつ設けられ、各排気室内に設けられた各仕切壁は、中蓋部の長手方向に対して環流孔側に傾斜した状態で設けられている。また各枝状突出壁は、中蓋部の幅方向に伸びるように設けられている。
【００３０】
（第７の発明）
第７の発明は、第１ないし第６の発明のいずれかに適用されるもので、本発明においては、各排気室内に蓄液室が複数形成され、複数の蓄液室は、電槽が転倒して電槽の幅方向の一端が他端よりも下方に位置した状態になったときに漏出した電解液を溜める蓄液室と、電槽が転倒して電槽の幅方向の他端が一端よりも下方に位置した状態になったときに漏出した電解液を溜める蓄液室と、電槽が転倒して電槽の長手方向の一端が他端よりも下方に位置した状態になったときに漏出した電解液を溜める蓄液室と、電槽が転倒して電槽の長手方向の他端が一端よりも下方に位置した状態になったときに漏出した電解液を溜める蓄液室とを含む。
【００３１】
上記のように、電槽が転倒して電槽の幅方向の一端が他端よりも下方に位置した状態になったときに漏出した電解液を溜める蓄液室と、電槽が転倒して電槽の幅方向の他端が一端よりも下方に位置した状態になったときに漏出した電解液を溜める蓄液室と、電槽が転倒して電槽の長手方向の一端が他端よりも下方に位置した状態になったときに漏出した電解液を溜める蓄液室と、電槽が転倒して電槽の長手方向の他端が一端よりも下方に位置した状態になったときに漏出した電解液を溜める蓄液室とを各排気室内に形成しておくと、電槽がその長手方向の端部を下にして転倒した場合及び幅方向の端部を下にして転倒した場合のいずれの場合にも、各排気室内から外部に電解液が流出するおそれを少なくすることができる。
【００３２】
従って、本発明によれば、誤って電槽を転倒させたとしても、殆どの場合、電槽から外部に電解液が漏れるおそれを少なくすることができ、電槽の周囲が電解液で汚損されるのを防ぐことができる。また倒れた電槽を正常な状態に戻した際には、倒れた際に各セル室から流出した電解液の殆どすべてを元のセル室内に戻すことができるため、電槽内に設けられている一連のセル室内の電解液量が不均一になるのを防ぐことができる。
【００３３】
（第８の発明）
本発明は、第１ないし第７の発明のいずれかに適用されるもので、本発明においては、環流孔が単一の孔からなっている。
【００３４】
（第９の発明）
本発明は、第１ないし第７の発明に適用されるもので、本発明においては、環流孔が複数の孔の集合体により構成される。
【発明の効果】
【００３５】
本発明によれば、排気室内に設けられた仕切壁の途中から排気室の底面の傾斜の低い方に伸びる少なくとも１つの枝状突出壁を設けたので、電槽が転倒した際に環流孔から流出する電解液を溜める蓄液室を各排気室内に形成して、電槽が転倒した際に電解液が外部に漏れるのを抑制することができる。
【００３６】
本願に開示された第２の発明によれば、仕切壁の途中から突出した枝状突出壁の先端を他の仕切壁の側面または排気室の内側面に狭間隙を介して対向させたので、電槽が転倒した際に環流孔から漏出した電解液の流れを狭間隙の部分で抑制することができ、電槽が転倒した際に電解液が外部に漏れるのを抑制する効果を高めることができる。
【００３７】
本願に開示された第３の発明によれば、枝状突出壁の先端と他の仕切壁の側面または排気室の内側面との間の距離を、狭間隙を通して液体を流すために必要最小限の大きさに設定することができるため、電槽が転倒した際に電解液が外部に漏れるのを抑制する効果を高めることができる。
【００３８】
本願に開示された第４の発明によれば、蓄液室の容積を最大にするように枝状突出壁の位置が設定されているので、電槽が転倒した際に排気室内に留めることができる電解液の量を増やして、電解液が外部に漏れるのを抑制する効果を高めることができる。
【００３９】
本願に開示された第５の発明によれば、各排気分室の出入り口の間の距離を長くすることができるため、電槽が転倒した際に各排気室内に流入した電解液が出口に到達し難くすることができ、各排気室から電解液が漏出するのを抑制する効果を高めることができる。
【００４０】
本願に開示された第７の発明によれば、電槽が転倒して電槽の幅方向の一端が他端よりも下方に位置した状態になったときに漏出した電解液を溜める蓄液室と、電槽が転倒して電槽の幅方向の他端が一端よりも下方に位置した状態になったときに漏出した電解液を溜める蓄液室と、電槽が転倒して電槽の長手方向の一端が他端よりも下方に位置した状態になったときに漏出した電解液を溜める蓄液室と、電槽が転倒して電槽の長手方向の他端が一端よりも下方に位置した状態になったときに漏出した電解液を溜める蓄液室とを各排気室内に形成したので、誤って電槽を転倒させたとしても、殆どの場合、各排気室から外部に電解液が漏れるおそれを少なくすることができ、電槽の周囲が電解液で汚損されるのを防ぐことができる。また倒れた電槽を正常な状態に戻した際には、倒れた際に各セル室から流出した電解液の殆どすべてを元のセル室内に戻すことができるため、電槽内に設けられている一連のセル室内の電解液量が不均一になるのを防ぐことができる。
【図面の簡単な説明】
【００４１】
【図１】本発明の第１の実施形態に係わる鉛蓄電池の正面図である。
【図２】同実施形態に係わる鉛蓄電池の右側面図である。
【図３】同実施形態の鉛蓄電池の上蓋を外した状態での平面図である。
【図４】同実施形態の鉛蓄電池で用いる蓋の正面図である。
【図５】図３のＶ−Ｖ線に沿って断面した中蓋の断面図である。
【図６】同実施形態の鉛蓄電池で用いる中蓋の右側面図である。
【図７】同実施形態の鉛蓄電池で用いる中蓋の断面図である。
【図８】同実施形態の鉛蓄電池で用いる蓋の底面図である。
【図９】同実施形態の鉛蓄電池の排気室の構造を詳細に示した要部の拡大平面図である。
【図１０】（Ａ）は図９のＩ−Ｉ線断面図、（Ｂ）は図９のＪ−Ｊ線断面図である。
【図１１】同実施形態で用いる上蓋の平面図である。
【図１２】（Ａ）は同上蓋の正面図、（Ｂ）は同上蓋の底面図、（Ｃ）は同上蓋の側面図である。
【図１３】本発明において各排気室内に設ける枝状突出壁の最適位置と長さとを求める方法を説明するための説明図である。
【図１４】枝状突出壁の位置と蓄液室の容積との関係の一例を示したグラフである。
【発明を実施するための形態】
【００４２】
以下図１ないし図１２を参照して、本発明の好ましい実施形態を詳細に説明する。
図１及び図２において、１は鉛蓄電池の電槽を示している。図示の電槽１は、全体がほぼ直方体状を呈するように形成されて上端が開口した電槽本体２と、電槽本体２の上端の開口部を閉じる蓋部３とからなっている。図示してないが、電槽１の内部は、セル間隔壁により、その長手方向の一端から他端側に順次並ぶ第１ないし第６のセル室に仕切られている。本明細書では、電槽本体２の矩形状の横断面の長辺に沿う方向（図１において左右方向）及び短辺に沿う方向（図２において左右方向）をそれぞれ電槽の長手方向及び幅方向としている。
【００４３】
蓋部３は、電槽１の長手方向の一端と他端との間を延びるほぼ矩形状の中蓋部４と、中蓋部４の一部に形成された排気室構成部４００に接合された上蓋部５とからなっている。本明細書では、中蓋部４の４辺に沿う各方向の内、電槽の長手方向及び幅方向に沿う方向をそれぞれ中蓋部４の長手方向及び幅方向としている。
【００４４】
図示の中蓋部４は、その長手方向の一端４ａ及び他端４ｂをそれぞれ電槽の長手方向の一端及び他端に一致させ、その幅方向（図３において上下方向）の一端４ｃ及び他端４ｄをそれぞれ電槽の幅方向の一端及び他端に一致させた状態で設けられている。中蓋部４の排気室構成部４００は、その長手方向の一端４００ａ及び他端４００ｂをそれぞれ中蓋部４の長手方向の一端４ａ及び他端４ｂ寄りに位置させ、幅方向の一端４００ｃを中蓋部４の幅方向の中央部付近に位置させ、かつ幅方向の他端４００ｄを中蓋部４の幅方向（電槽の幅方向）の他端端４ｄ付近に位置させた状態で設けられている。
【００４５】
排気室構成部４００の幅方向の他端４００ｄ寄りの部分の長手方向の両端には、電槽の長手方向の一端側及び他端側にそれぞれ突出した突出部４０１及び４０２が形成されている。
【００４６】
中蓋部の排気室構成部４００の上には、上蓋部５（図１１及び図１２参照）が載せられて、上蓋部５の各部が排気室構成部４００に熱溶着により接合される。排気室構成部４００の上面には、その外周縁に沿って伸びる周壁部２０が形成され、この周壁部２０の内側に中蓋部側凹部が形成されている。
【００４７】
上蓋部５は、排気室構成部４００と同様の輪郭形状を有していて、その長手方向の一端側及び他端側にはそれぞれ排気室構成部４００の両端の突出部４０１及び４０２と同様に長手方向に突出した突出部５０１及び５０２が形成されている。上蓋部５の下面にも、その外周縁に沿って伸びる周壁部２０′が形成され、周壁部２０′の内側に上蓋部側凹部が形成されている。中蓋部４の排気室構成部４００と上蓋部５とは、それぞれの周壁部２０、２０′を合わせた状態で接合され、上記中蓋部側凹部及び上蓋部側凹部により、中蓋部４の排気室構成部４００と上蓋部５との間に排気室を形成するための空間が形成される。
【００４８】
図１１及び図１２に示された上蓋部５を中蓋部４の上に配置する際には、上蓋部５の長手方向の一端５ａ及び５ｂをそれぞれ中蓋部４の長手方向の一端４ａ及び４ｂに一致させ、上蓋部５の幅方向の一端５ｃ及び他端５ｄをそれぞれ中蓋部４の排気室構成部の幅方向の一端４００ｃ及び他端４００ｄに一致させた状態で配置する。
【００４９】
中蓋部４の幅方向の一端４ｃ付近には、中蓋部４の長手方向の一端４ａ寄りに位置させてインジケータ取り付け孔７（図３参照）が形成されている。インジケータ取り付け孔７は、電槽内の電解液の液面レベルを表示するインジケータ（図示せず。）を取り付けるために用いられる。図示の例では、電槽本体２に設けられている第１ないし第６のセル室の内、第２のセル室の上方にインジケータ取り付け孔７が設けられていて、第２のセル室内の電解液の液面レベルを表示するインジケータがインジケータ取り付け孔７に取り付けられるようになっている。本実施形態では、第２のセル室内の電解液の液面レベルを代表してインジケータに表示させることにより、他のセル室内の電解液の液面レベルを推測する。
【００５０】
中蓋部４の長手方向の一端４ａ及び他端４ｂ寄りで、かつ中蓋部４の幅方向の一端４ｃ側に寄った位置にそれぞれ鉛合金からなるボス８及び９が埋め込まれ、電槽本体内の第１のセル室内に収容された極板群の正極板の耳部同士を接続しているストラップから立ち上げられた正極柱１１及び第６のセル室内に収容された極板群の負極板の耳部同士を接続しているストラップから立ち上げられた負極柱１２がそれぞれボス８及び９を貫通して上方に導出されている。
【００５１】
図３に示したように、中蓋部４の排気室構成部４００と上蓋部５との間の空間には、第１乃至第６のセル室の上にそれぞれ位置させて、第１ないし第６の排気室Ｄ1ないしＤ6が形成されている。これらの排気室は、中蓋部４の排気室構成部４００及び上蓋部５の周壁部２０の内側に所定の板厚を持って形成された所定パターンの隔壁部２２及び２２′が相互に接合されることにより形成されている。
【００５２】
本実施形態では、両端の排気室Ｄ1及びＤ6の一部を、中蓋部及び上蓋部に設けられた隔壁部２２及び２２′の一部に形成された集中排気室形成用壁部２２ａ，２２ａ′で仕切ることにより、中蓋部の長手方向の一端側及び他端側にそれぞれ集中排気室Ｅ1及びＥ2が形成されている。
【００５３】
各排気室は、中蓋部４の長手方向に向いた状態で相対する一対の長手方向内側面Ｓａ，Ｓｂと、中蓋部４の幅方向に向いた状態で相対する一対の幅方向内側面Ｓｃ，Ｓｄとを有していて、各排気室内に４つのコーナ部Ｃ1ないしＣ4が形成されている。本明細書においては、説明の便宜上、各排気室の４つの内側面ＳａないしＳｄの内、中蓋部の長手方向に相対する内側面Ｓａ及びＳｂを長手方向内側面と呼び、中蓋部の幅方向に相対する内側面Ｓｃ及びＳｄを幅方向内側面と呼ぶ。
【００５４】
中蓋部４の長手方向の一端４ａ寄りに配置された３個の排気室Ｄ1ないしＤ3においては、中蓋部の一対の長手方向内側面の内、中蓋部４の長手方向の一端４ａ側に位置する長手方向内側面を一方の長手方向内側面Ｓａとし、中蓋部４の長手方向の他端４ｂ側に位置する長手方向内側面を他方の長手方向内側面Ｓｂとしている。また中蓋部４の長手方向の他端４ｂ寄りに配置された他の３個の排気室Ｄ4ないしＤ6においては、一対の長手方向内側面の内、中蓋部４の長手方向の他端４ｂ側に位置する長手方向内側面を一方の長手方向内側面Ｓａとし、中蓋部４の長手方向の一端４ａ側に位置する長手方向内側面を他方の長手方向内側面Ｓｂとしている。
【００５５】
排気室Ｄ1及びＤ6のそれぞれの一方の長手方向内側面Ｓa寄りの位置には、各排気室の他方の幅方向内側面Ｓｄ寄りに位置させて、各排気室と対応するセル室との間を隔てる各排気室の底壁部を貫通した電解液注入孔Ｈ1及びＨ6が形成され、排気室Ｄ2ないしＤ5のそれぞれの他方の長手方向内側面Ｓｂ寄りの位置にはそれぞれ、各排気室の他方の幅方向内側面Ｓｄ寄りに位置させて、各排気室の底壁部を貫通した電解液注入孔Ｈ2ないしＨ5が形成されている。
【００５６】
電解液注入孔Ｈ1ないしＨ6を囲むように円筒壁２３が形成されている。上蓋部５側にも、中蓋部４の各円筒状壁部２３に対応する円筒壁２３′が形成され、上蓋部５を中蓋４の排気室構成部４００に接合する際に、上蓋部５側の各円筒壁２３′が排気室構成部４００の対応する円筒壁２３に突き合わされて熱溶着されることにより、電解液注入Ｈ1ないしＨ6が液密に閉鎖される。
【００５７】
排気室Ｄ1ないしＤ6は、ほぼ長方形状を呈するように形成されているが、中蓋部の長手方向の両端に配置された排気室Ｄ1及びＤ6は、それぞれの一部に集中排気室Ｅ1及びＥ2が形成され、注液孔Ｈ1及びＨ6の一部が一方の長手方向内側面Ｓａ側に偏って設けられていることにより、長手方向内側面Ｓａの一部が変形された形状を呈している。
【００５８】
上記のように、中蓋部４と上蓋部５との間には、排気室Ｄ1ないしＤ6と集中排気室Ｅ1及びＥ2とが形成される他、更に後述するように、排気室Ｄ1ないしＤ6を集中排気室Ｅ1及びＥ2に接続するための各種の流体通路が形成される。これらは、中蓋部４及び上蓋部５にそれぞれ設けられて互いに接合される壁部２２及び２２′により構成される。以下の説明では、主として中蓋部４を示す図を用いて、中蓋部と上蓋部との間に設けられる構造体の構成を説明する。排気室や流体通路を形成するために中蓋部及び上蓋部にそれぞれ設けられる壁部のパターンはほぼ鏡像の関係にある。
【００５９】
排気室Ｄ1ないしＤ6内の一方の幅方向内側面Ｓｃ寄りの位置にはそれぞれ電解液還流部Ｆ1ないしＦ6が、それぞれの排気室の一方の長手方向内側面Ｓａ寄りに位置させて形成されている。
【００６０】
図９及び図１０（Ａ），（Ｂ）に示されているように、各電解液還流部は、各排気室の底壁部からセル室側に窪んだ状態で設けられた截頭円錐状の傾斜壁部２５と、傾斜壁部２５の下端の内周部から上方に立ち上がったほぼ截頭円錐状の排気筒部２６と、傾斜壁部２５の外周部から立ち上がって排気筒部２６を同心的に取り囲む周壁部２７とを中蓋側に有していて、傾斜壁部２５を貫通して２つの円弧状の孔ｈ1及びｈ2が形成されている。これらの孔ｈ1及びｈ2の集合体により還流孔ｈが構成されている。また周壁部２７の一部が切り欠かれて、周壁部２７の内側の空間を各排気室の一方の内側面Ｓａ側に開口させるスリット状の開口部２８が形成されている。排気筒部２６の上端が斜めにカットされることにより、通気孔２６ａが構成され、各排気室の下方のセル室内のガス圧が上昇したときに、各セル室内のガスが、対応する排気室の排気筒部２６の上端の通気孔２６ａから各排気室内に排気されるようになっている。
【００６１】
図１２に示されているように、上蓋部５側には、中蓋部側に設けられた周壁部２７に対応する位置に周壁部２７と同径の切り欠きを有しない周壁部２７′が形成され、上蓋部５が中蓋部４の排気室構成部４００の上に配置されて上蓋部５の各部が排気室構成部４００に熱溶着される際に、上蓋部の周壁部２７′が中蓋部の排気室構成部４００の周壁部２７に突き合わせ接合されて、周壁部２７の上端の開口部が閉じられる。
【００６２】
本実施形態では、周壁部２７，２７′の内側に形成された部屋が１つの排気分室Ｇ0を構成しており、還流孔ｈ及び開口部２８がこの排気分室Ｇ0の出入り口を構成している。セル室から排気分室Ｇ0内にガスが排出される際には、還流孔ｈが排気分室Ｇ0の入口となり、開口部２８が排気分室Ｇ0の出口となる。排気室内に流出した電解液が対応するセル室内に戻る際には、開口部２８が排気分室Ｇ0の入口となり、還流孔ｈが排気分室Ｇ0の出口となる。排気分室Ｇ0の出入り口（ｈ，２８）は、入口が出口に対して逆の位置に配置されるように、互いに１８０°離れた位置に設けられている。
【００６３】
排気室Ｄ1ないしＤ6にはまた、個別排気口ｅ1ないしｅ6が設けられている。本実施形態では、個別排気口と環流孔とが各排気室の対角位置付近に配置されている。図示の例では、排気室Ｄ1ないしＤ6の個別排気口ｅ1ないしｅ6が、排気室Ｄ1ないしＤ6のそれぞれの他方の幅方向内側面Ｓｄ寄りの位置で他方の長手方向内側面Ｓｂに開口するように設けられている。
【００６４】
即ち、本実施形態では、排気室Ｄ1ないしＤ6の一方の幅方向内側面Ｓｃ寄りの位置で且つ一方の長手方向内側面Ｓａ寄りの位置に還流孔ｈが設けられ、排気室Ｄ1ないしＤ6の他方の幅方向内側面Ｓｄ寄りの位置で他方の長手方向対向面Ｓｂに開口させた状態で個別排気口ｅ1ないしｅ6がそれぞれ設けられている。
【００６５】
中蓋部４の排気室構成部４００と上蓋部５との間にはまた、第１ないし第３の長手方向流体通路Ｌ1ないしＬ3と、第１の幅方向流体通路Ｗ1及びＷ2とが設けられている。
【００６６】
第１の長手方向流体通路Ｌ1は、中蓋部４の排気室構成部４００の幅方向の他端４００ｄ側で排気室Ｄ1ないしＤ6の外側を中蓋部の長手方向に沿って直線的に伸びていてその一端及び他端がそれぞれ集中排気室Ｅ1及びＥ2に接続されている。
【００６７】
第２の長手方向流体通路Ｌ2は、中蓋部４の排気室構成部４００の幅方向の一端４００ｃ側で排気室Ｄ2及びＤ3の外側を電槽の長手方向に沿って伸びるように設けられ、第３の長手方向流体通路Ｌ3は、中蓋部４の排気室構成部４００の幅方向の一端４００ｃ側で排気室Ｄ4及びＤ5の外側を電槽の長手方向に沿って伸びるように設けられている。
【００６８】
第１及び第２の幅方向流体通路Ｗ1及びＷ2はそれぞれ、排気室Ｄ2，Ｄ3間及びＤ4，Ｄ5間を中蓋部の排気室構成部４００の幅方向に伸びて、第１の長手方向流体通路Ｌ1と第２の長手方向流体通路Ｌ2との間及び第１の長手方向流体通路Ｌ1と第３の長手方向流体通路Ｌ3との間をそれぞれ接続するように設けられている。
【００６９】
第２の長手方向流体通路Ｌ2と第３の長手方向流体通路Ｌ3との間は、第３の排気室Ｄ3と第４の排気室Ｄ4との間に位置させて中蓋部４側及び上蓋部５側にそれぞれ設けられて互いに接合された隔壁部２２ｂ及び２２ｂ′により仕切られている。
【００７０】
図３に示されているように、中蓋部４側に設けられた隔壁部２２には、第１の幅方向流体通路Ｗ1及びＷ2の第１の長手方向流体通路Ｌ1側の端部を塞ぐ障壁部２２ｃが設けられている。これに対し、図１２に示されているように、上蓋部５側の隔壁部２２′の該当部分には障壁部２２ｃに対応する障壁部が設けられていないため、第１の幅方向流体通路Ｗ1及びＷ2は、上蓋部５側で第１の長手方向流体通路Ｌ1に連通させられている。
【００７１】
また中蓋部４側の隔壁部２２には、第２の長手方向流体通路Ｌ2の途中に介在する障壁部２２ｄが設けられているが、上蓋部５側の隔壁部２２′には、障壁部２２ｄに対応する障壁部が設けられていないため、第２の長手方向流体通路Ｌ2は、途中で分断されることなく排気室Ｄ2及びＤ3の側方を中蓋部４の長手方向に伸びる一つの流体通路を構成している。
【００７２】
同様に、中蓋部４側の隔壁部２２には、第３の長手方向流体通路Ｌ3の途中に介在する障壁部２２ｅが設けられているが、上蓋部５側の隔壁部２２′には、障壁部２２ｅに対応する障壁部が設けられていないため、第３の長手方向流体通路Ｌ3は、途中で分断されることなく、排気室Ｄ4及びＤ5の側方を中蓋部４の長手方向に伸びる一つの流体通路を構成している。
【００７３】
また第１の排気室Ｄ1と第２の排気室Ｄ2との間及び第２の排気室Ｄ2と第１の幅方向流体通路Ｗ1との間にそれぞれ中蓋部４の幅方向に伸びる第１及び第２の幅方向排気通路Ｐ1及びＰ2が形成され、第３の排気室Ｄ3と隔壁部２２ｂ，２２ｂ′（２２ｂ′は上蓋部５側に設けられている隔壁部）との間に中蓋部４の幅方向に伸びる第３の幅方向排気通路Ｐ3が形成されている。これらの幅方向排気通路Ｐ1ないしＰ3は、第１の長手方向流体通路Ｌ1には連通しないが、第２の長手方向流体通路Ｌ2には連通するように設けられていて、第１ないし第３の幅方向排気通路Ｐ1ないしＰ3に排気室Ｄ1ないしＤ3の個別排気口ｅ1ないしｅ3が開口している。従って排気室Ｄ1ないしＤ3はそれぞれ、個別排気口ｅ1ないしｅ3と排気通路Ｐ1ないしＰ3とを通して第２の長手方向流体通路Ｌ2に接続されている。
【００７４】
また第４の排気室Ｄ4と隔壁部２２ｂ，２２ｂ′との間に中蓋部の幅方向に伸びる第４の幅方向排気通路Ｐ4が形成され、第５の排気室Ｄ5と第４の排気室Ｄ4との間及び第６の排気室Ｄ6と第５の排気室Ｄ5との間にそれぞれ中蓋部４の幅方向に伸びる第５及び第６の幅方向排気通路Ｐ5及びＰ6が形成されている。これらの幅方向排気通路Ｐ4ないしＰ6は、第１の長手方向流体通路Ｌ1には連通しないが、第３の長手方向流体通路Ｌ3には連通するように設けられていて、第４ないし第６の幅方向排気通路Ｐ4ないしＰ6に排気室Ｄ4ないしＤ6の個別排気口ｅ4ないしｅ6が開口している。従って排気室Ｄ4ないしＤ6は、個別排気口ｅ4ないしｅ6と排気通路Ｐ4ないしＰ6とを通して第３の長手方向流体通路Ｌ3に接続されている。
【００７５】
本実施形態では、各排気室内に、一方の長手方向内側面Ｓａから他方の長手方向内側面Ｓｂ側に突出して先端が該他方の長手方向内側面Ｓｂに隙間を介して対向させられた少なくとも１つの第１の仕切壁と、他方の長手方向内側面Ｓｂから一方の長手方向内側面Ｓａ側に突出して先端が該一方の長手方向内側面Ｓａに狭隙間を介して対向させられた少なくとも１つの第２の仕切壁と、第１の仕切壁の側面から一方の幅方向内側面Ｓｃ側に（排気室の底面の傾斜の低い方に）突出して隣接する第２の仕切壁の側面または一方の幅方向内側面Ｓｃに先端が狭間隙を介して対向させられた第１の枝状突出壁と、第２の仕切壁の側面から一方の幅方向内側面Ｓｃ側に（排気室の底面の傾斜の低い方に）突出して隣接する第１の仕切壁の側面または一方の幅方向内側面に先端が狭間隙を介して対向させられた第２の枝状突出壁とが設けられる。
【００７６】
各排気室内で液化した電解液のミストが還流孔に戻るのを妨げないようにするため、各仕切壁は還流孔側に傾斜した状態で設けられ、第１の仕切壁と第２の仕切壁とにより各排気室内が中蓋部４の幅方向に並ぶ複数の排気分室に仕切られている。また第１の仕切壁に接する排気分室及び第２の仕切壁に接する排気分室がそれぞれ第１の枝状突出壁及び第２の枝状突出壁により中蓋の長手方向に仕切られ、第１及び第２の仕切壁と第１及び第２の枝状突出壁とにより、各排気室内に、環流孔と個別排気口との間を伸びる屈曲した流体流路と複数の蓄液室とが形成されている。
【００７７】
図面においては、第１の仕切壁として機能する部分及び第２の仕切壁として機能する部分をそれぞれ所定の添え字を付した符号Ａ及びＢで示し、第１の枝状突出壁及び第２の枝状突出壁として機能する部分をそれぞれ所定の添え字を付した符号ａ及びｂで示している。
【００７８】
図９に示されているように、排気室Ｄ1内には、一方の長手方向内側面Ｓａから他方の長手方向内側面Ｓｂ側に突出して該他方の長手方向内側面Ｓｂの手前の位置で先端が終端した板状の第１の仕切壁Ａ1，Ａ2と、他方の長手方向内側面Ｓｂから一方の長手方向内側面Ｓａ側に突出して該一方の長手方向内側面Ｓａの手前の位置で先端が終端した板状の第２の仕切壁Ｂ1，Ｂ2と、第１の仕切壁Ａ1の側面から一方の幅方向内側面Ｓｃ側に突出して隣接する第２の仕切壁Ｂ2の側面に先端が狭間隙ｇを介して対向させられた板状の第１の枝状突出壁ａ1と、第２の仕切壁Ｂ2の側面から一方の幅方向内側面Ｓｃ側に突出して隣接する第１の仕切壁Ａ2の側面に先端が狭間隙ｇを介して対向させられた板状の第２の枝状突出壁ｂ2とが設けられている。第１の仕切壁Ａ1，Ａ2及び第２の仕切壁Ｂ1，Ｂ2は中蓋部の長手方向に対して排気室の一方の幅方向内側面Ｓｃ側に（還流孔ｈ側に）傾斜した状態で設けられている。
【００７９】
またこの例では、注液孔Ｈ1を囲む円筒壁２３，２３′が、排気室Ｄ1の一方の内側面Ｓａから他方の内側面Ｓｂ側に突出した仕切壁Ａoとして用いられ、電解液環流部Ｆ1の周壁部２７，２７′（２７′は上蓋部５側に設けられている周壁部）が、仕切壁Ａ2の側面から一方の内側面Ｓｃ側に突出した枝状突出壁ａ2として用いられている。
【００８０】
また図示の例では、排気室Ｄ1の一方の幅方向内側面Ｓｃから一方の長手方向内側面Ｓａ側に斜めに突出した仕切壁部Ｑが設けられ、この仕切壁部Ｑの先端が電解液還流部Ｆ1の周壁部２７、２７′の外周面に狭間隙ｇを介して対向させられている。
【００８１】
仕切壁Ａ1，Ａ2，Ｂ1，Ｂ2、枝状突出壁ａ1，ｂ2及び仕切壁部Ｑは、中蓋部４の排気室構成部４００側及び上蓋部５側にそれぞれ設けられた所定パターンの壁部が接合されることにより構成されている。そして、第１の仕切壁Ａ1，Ａ2と第２の仕切壁Ｂ1，Ｂ2とにより各排気室内が中蓋部４の幅方向に並ぶ複数の排気分室Ｇ1ないしＧ5（図９参照）に仕切られるとともに、第１の仕切壁Ａ1に接する排気分室Ｇ3及び第２の仕切壁Ｂ2に接する排気分室Ｇ2がそれぞれ第１の枝状突出壁ａ1及び第２の枝状突出壁ｂ2によって中蓋部４の長手方向に仕切られることにより、各排気室内に、還流孔ｈから個別排気口ｅ1に至る屈曲した流体流路と、電槽が転倒した際に還流孔ｈ及び通気孔２６ａを通して排気室Ｄ1内に漏出した電解液を溜めるための複数の蓄液室とが構成されている。また狭間隙ｇが形成された部分により屈曲した流体流路の狭窄部が構成されている。
【００８２】
各排気分室Ｇ1ないしＧ5は、出口または入口として機能する出入り口を隣接する他の排気分室との境界部に有しているが、各排気分室の出入り口は、排気分室Ｇ0と同様に、出口が入口に対して逆側に配置されるように設けられている。
【００８３】
図示の例では、還流孔ｈ及び通気孔２６ａ−周壁部２７，２７′内の排気分室Ｇ0−周壁部２７，２７′の開口部２８−排気室Ｄ1のコーナ部Ｃ1−仕切壁部Ｑの先端と周壁部２７，２７′との間の狭間隙ｇ−周壁部２７，２７′（枝状突出壁ａ2）と他方の長手方向内側面Ｓｂとの間の隙間−仕切壁Ａ2，Ｂ2間の隙間−仕切壁Ｂ2，Ａ1間の隙間−仕切壁Ａ1，Ｂ1間の隙間−仕切壁Ｂ1と円筒壁２３，２３′（仕切壁Ａo）との間の隙間−個別排気口ｅ1の経路で還流孔ｈと個別排気口ｅ1との間を接続するように、排気室Ｄ1内に屈曲した流体流路が形成されている。
【００８４】
また図示の例では、排気室Ｄ1の長手方向内側面Ｓａ，Ｓｂと一方の幅方向内側面Ｓｃとにより囲まれた排気室Ｄ1内の空間（個別排気口ｅ1よりも一方の幅方向内側面Ｓｃ側の排気室内空間）により、電槽が転倒して、排気室Ｄ1の一方の内側面Ｓｃが他方の内側面Ｓｄよりも下方に位置する状態になったときに還流孔ｈ及び通気孔２６ａから漏出した電解液を溜める蓄液室が構成されている。この蓄液室の容積は、電槽を倒して排気室Ｄ1の一方の内側面Ｓｃを他方の内側面Ｓｄよりも下方に位置させた状態で静止させたときに還流孔ｈ及び排気孔２６ａから漏出する電解液のすべてを溜めることができる大きさに設定されていることが好ましい。
【００８５】
また電解液還流部Ｆ1の周壁部２７，２７′（枝状突出壁ａ2）と仕切壁Ａ2と排気室Ｄ1の一方の長手方向内側面Ｓaとにより囲まれた排気室Ｄ1内の空間、仕切壁Ｂ2と枝状突出壁ｂ2と排気室Ｄ1の他方の長手方向内側面Ｓｂとにより囲まれた排気室Ｄ1内の空間、及び仕切壁Ａ1と枝状突出壁ａ1と排気室Ｄ1の一方の長手方向内側面Ｓａとにより囲まれた排気室Ｄ1内の空間により、電槽が転倒して排気室Ｄ1の他方の幅方向内側面Ｓｄが一方の幅方向内側面Ｓｃよりも下方に位置する状態になったとき(個別排気口ｅ1が還流孔ｈよりも下方に位置する状態になったとき）に排気室Ｄ1の還流孔ｈ及び排気孔２６ａから漏出した電解液を溜める複数の蓄液室が、還流孔ｈと個別排気口ｅ1との間に構成される。
【００８６】
電槽が倒れて排気室Ｄ1の一方の幅方向内側面Ｓｃが他方の幅方向内側面Ｓｄよりも下方に位置した状態になったときには、還流孔ｈ及び通気孔２６ａから漏出した電解液が先ず還流孔ｈに近い方の蓄液室内に溜り、この蓄液室から電解液が溢れたときには、溢れた電解液が隣接する他の蓄液室内に流れ込むようになっている。上記複数の蓄液室の容積の総計は、電槽を倒して排気室Ｄ1の他方の幅方向内側面Ｓｄを一方の幅方向内側面Ｓｃよりも下方に位置させた状態で静止させたときに還流孔ｈ及び排気孔２６ａから漏出する電解液のすべてを溜めることができる大きさに設定されることが好ましい。
【００８７】
更に、排気室Ｄ1の一方の長手方向内側面Ｓａと一方及び他方の幅方向内側面Ｓｃ及びＳｄとにより囲まれた排気室Ｄ1内の空間により、電槽が転倒して排気室Ｄ1の一方の長手方向内側面Ｓａが他方の長手方向対向満Ｓｂよりも下方に位置した状態になったときに排気室Ｄ1の還流孔ｈ及び通気孔２６ａから排気室Ｄ1内に漏出した電解液を溜める蓄液室が構成される。この蓄液室の容積は、電槽を倒して排気室Ｄ1の一方の長手方向内側面Ｓａを他方の長手方向内側面Ｓｂよりも下方に位置させた状態で静止させたときに還流孔ｈ及び通気孔２６ａとを通して排気室Ｄ1内に漏出する電解液のすべてを溜めることができる大きさに設定されることが好ましい。
【００８８】
また排気室Ｄ1の他方の長手方向内側面Ｓｂと排気室Ｄ1の一方の幅方向内側面Ｓｃと仕切壁Ｂ2とにより囲まれた排気室Ｄ1内の空間及び排気室Ｄ1の他方の長手方向内側面Ｓｂと仕切壁Ｂ1及びＢ2とにより囲まれた排気室Ｄ1内の空間により、電槽が転倒して排気室Ｄ1の他方の長手方向内側面Ｓｂが一方の長手方向内側面Ｓａよりも下方に位置する状態になったときに還流孔及び通気孔から漏出する電解液を溜める複数の蓄液室が、還流孔ｈ及び通気孔２６ａと個別排気口ｅ1との間に構成される。
【００８９】
電槽が転倒して排気室Ｄ1の他方の長手方向内側面Ｓｂが一方の長手方向内側面Ｓａよりも下方に位置する状態になったときには、排気室Ｄ1の還流孔ｈ及び通気孔２６ａから漏出した電解液が先ず還流孔に最も近い位置にある蓄液室内に流入し、この蓄液室から電解液が溢れた場合には、溢れた電解液が隣接する他の蓄液室内に流入する。この場合、複数の蓄液室の容積の総計は、電槽を倒して排気室Ｄ1の他方の長手方向内側面Ｓｂを一方の長手方向内側面Ｓａよりも下方に位置させた状態で静止させたときに還流孔ｈ及び通気孔２６ａから排気室内に流出する電解液のすべてを溜めることができる大きさに設定されることが好ましい。
【００９０】
電槽の長手方向の他端側に設けられた排気室Ｄ6内にも、排気室Ｄ1内に設けられた仕切壁及び枝状突出壁と同様の仕切壁及び枝状突出壁が設けられて、排気室Ｄ6内に、還流孔ｈから個別排気口ｅ6に至る屈曲した流体流路と、電槽が転倒した際に排気室Ｄ6内の還流孔ｈから漏出した電解液を溜めるための複数の蓄液室とが形成されている。排気室Ｄ6内の仕切壁及び枝状突出壁と、排気室Ｄ1内の仕切壁及び枝状突出壁とは左右対称に配置されている。
【００９１】
図９に示されているように、排気室Ｄ2内には、その一方の長手方向内側面Ｓａから他方の長手方向内側面Ｓｂ側に突出して該他方の長手方向内側面Ｓｂの手前の位置で先端が終端した２つの板状の第１の仕切壁Ａ1，Ａ2と、他方の長手方向内側面Ｓｂから第１の仕切壁Ａ1，Ａ2間のスペースに向けて一方の長手方向内側面Ｓａ側に突出して該一方の長手方向内側面Ｓａの手前の位置で先端が終端した１つの第２の仕切壁Ｂ2と、１つ目の第１の仕切壁Ａ1の側面から一方の幅方向内側面Ｓｃ側に突出して隣接する第２の仕切壁Ｂ2の側面に先端が狭間隙ｇを介して対向させられた１つ目の第１の枝状突出壁ａ1と、２つ目の第１の仕切壁Ａ2の側面から一方の幅方向内側面Ｓｃ側に突出して先端が一方の幅方向内側面Ｓｃに狭間隙を介して対向させられた２つ目の第１の枝状突出壁ａ2と、第２の仕切壁Ｂ2の側面から一方の幅方向内側面Ｓｃ側に突出して隣接する第１の仕切壁Ａ2の側面に先端が狭間隙ｇを介して対向させられた第２の枝状突出壁ｂ2とが設けられている。第１の仕切壁Ａ1，Ａ2及び第２の仕切壁Ｂ2は中蓋部の長手方向に対して排気室の一方の内側面Ｓｃ側（還流孔側）に傾斜した状態で設けられている。また排気室Ｄ2の一方の幅方向内側面Ｓｃから一方の長手方向内側面Ｓａ側に斜めに突出した仕切壁部Ｑが設けられて、この仕切壁部Ｑの先端が電解液還流部Ｆ2の周壁部２７、２７′の外周面に狭間隙を介して対向させられている。この例では，注液孔Ｈ2を囲む円筒壁２３，２３′が他方の長手方向内側面Ｓｂから一方の長手方向内側面Ｓａ側に突出した第１の仕切壁Ｂ0を構成している。
【００９２】
仕切壁Ａ1，Ａ2，Ｂ2、枝状突出壁ａ1，ａ2，ｂ2及び仕切壁部Ｑは中蓋部４側及び上蓋部５側にそれぞれ設けられた所定パターンの壁部が接合されることにより構成され、第１の仕切壁Ａ1，Ａ2と第２の仕切壁Ｂ2とにより各排気室内が中蓋部４の幅方向に並ぶ複数の排気分室Ｇ1ないしＧ4に仕切られている。また第１の仕切壁Ａ1に接する排気分室Ｇ3及び第２の仕切壁Ｂ2に接する排気分室Ｇ2がそれぞれ第１の枝状突出壁ａ1及び第２の枝状突出壁ｂ2により中蓋部の長手方向に仕切られ、第１の仕切壁Ａ2に接する排気分室Ｇ1が枝状突出壁ａ2により中蓋部の長手方向に仕切られている。これにより、排気室Ｄ2内に還流孔ｈ及び通気孔２６ａから個別排気口ｅ2に至る屈曲した流体流路が形成されるとともに、電槽が転倒した際に還流孔ｈを通して排気室Ｄ2内に漏出した電解液を溜めるための複数の蓄液室が構成されている。また狭間隙ｇが形成された部分により、屈曲した流体流路の狭窄部が構成されている。
【００９３】
図示の例では、還流孔ｈ及び通気孔２６ａ−周壁部２７，２７′内の空間−周壁部２７，２７′の開口部２８−排気室Ｄ2のコーナ部Ｃ1−仕切壁部Ｑの先端と周壁部２７，２７′との間の狭間隙−周壁部２７，２７′と他方の長手方向内側面Ｓｂとの間の隙間−仕切壁Ａ2，Ｂ2間の隙間−仕切壁Ｂ2，Ａ1間の隙間−仕切壁Ａ1と円筒壁２３，２３′（仕切壁Ｂ0）との間の隙間−円筒壁２３，２３′と一方の長手方向内側面Ｓａとの間の隙間−個別排気口ｅ2の経路で、還流孔ｈと個別排気口ｅ2との間を接続するように排気室Ｄ2内に屈曲した流体流路が形成されている。
【００９４】
また図示の例では、排気室Ｄ2の長手方向内側面Ｓａ，Ｓｂと一方の幅方向内側面Ｓｃとにより囲まれた排気室Ｄ2内の空間により、電槽が転倒して排気室Ｄ2の一方の幅方向内側面Ｓｃが他方の幅方向内側面Ｓｄよりも下方に位置する状態になったときに還流孔ｈ及び通気孔２６ａから漏出した電解液を溜める蓄液室が構成されている。この蓄液室の容積は、電槽を倒して排気室Ｄ2の一方の幅方向内側面Ｓｃを他方の幅方向内側面Ｓｄよりも下方に位置させた状態で静止させたときに還流孔ｈ及び通気孔２６ａから流出する電解液のすべてを溜めることができる大きさに設定するのが好ましい。
【００９５】
更に、排気室Ｄ2の一方の長手方向内側面Ｓaと枝状突出壁ａ2と第１の仕切壁Ａ2とにより囲まれた排気室Ｄ2内の空間、仕切壁Ｂ2と枝状突出壁ｂ2と排気室Ｄ2の他方の長手方向内側面Ｓｂとにより囲まれた排気室Ｄ2内の空間、及び仕切壁Ａ1と枝状突出壁ａ1と排気室Ｄ2の一方の長手方向内側面Ｓａとにより囲まれた排気室Ｄ2内の空間により、電槽本体が転倒して排気室Ｄ2の他方の幅方向内側面Ｓｄが一方の幅方向内側面Ｓｃよりも下方に位置する状態になったときに還流孔ｈ及び通気孔２６ａから漏出する電解液を溜める複数の蓄液室が、還流孔ｈ及び通気孔２６ａと個別排気口ｅ2との間に構成される。
【００９６】
この場合も、電槽が転倒して還流孔及び通気孔から電解液が漏出した時に、漏出した電解液が先ず還流孔に最も近い蓄液室に流れ込み、この蓄液室から電解液が溢れた場合に、溢れた電解液が隣接する他の蓄液室内に流れ込むように複数の蓄液室が設けられている。これらの蓄積室の容積の総計は、電槽を転倒させて排気室Ｄ2の他方の幅方向内側面Ｓｄを一方の幅方向内側面Ｓｃよりも下方に位置させた状態で静止させたときに還流孔ｈ及び通気孔２６ａから流出する電解液のすべてを蓄積することができる大きさに設定されることが好ましい。
【００９７】
また排気室Ｄ2の一方の長手方向内側面Ｓａと一方の幅方向内側面Ｓｃと仕切壁Ａ2とにより囲まれた排気室Ｄ2内の空間と、排気室Ｄ2内の仕切壁Ａ2及びＡ1と一方の長手方向内側面Ｓａとにより囲まれた空間と、排気室Ｄ2内の仕切壁Ａ1と他方の幅方向内側面Ｓｄと一方の長手方向内側面Ｓａとにより囲まれた空間とにより、電槽本体３が転倒して排気室Ｄ2の一方の長手方向対向満Ｓａが他方の長手方向内側面Ｓｂよりも下方に位置する状態になったときに還流孔ｈ及び通気孔２６ａから漏出する電解液を溜める複数の蓄液室が構成されている。これらの蓄液室の容積の総計は、電槽を転倒させて排気室Ｄ2の一方の長手方向内側面Ｓａを他方の長手方向内側面Ｓｂよりも下方に位置させた状態で静止させたときに還流孔ｈ及び通気孔２６ａから流出する電解液のすべてを溜めることができる大きさに設定することがこのましい。
【００９８】
更に、排気室Ｄ2の他方の長手方向内側面Ｓｂと排気室Ｄ2の一方の幅方向内側面Ｓｃと仕切壁Ｂ2とにより囲まれた排気室Ｄ2内の空間及び排気室Ｄ2の他方の長手方向内側面Ｓｂと仕切壁Ｂ2と円筒壁２３，２３′（仕切壁Ｂ0）とにより囲まれた排気室Ｄ2内の空間により、電槽が転倒して排気室Ｄ2の他方の長手方向内側面Ｓｂが一方の長手方向内側面Ｓａよりも下方に位置する状態になったときに還流孔ｈ及び通気孔２６ａから流出する電解液を溜めるための複数の蓄液室が、還流孔ｈ及び通気孔２６ａと個別排気口ｅ2との間に構成される。これらの蓄液室の容積の総計は、電槽を転倒させて排気室Ｄ2の他方の長手内側面Ｓｂを一方の長手方向内側面Ｓａよりも下方に位置させた状態で静止させたときに還流孔ｈ及び通気孔２６ａから流出する電解液のすべてを溜めることができる大きさに設定するのが好ましい。
【００９９】
排気室Ｄ3内にも排気室Ｄ2内に設けられた仕切壁及び枝状突出壁と同様の仕切壁及び枝状突出壁が設けられて、排気室Ｄ3内に環流孔ｈから個別排気口ｅ3に至る屈曲した流体流路が形成されると共に、電槽が転倒して各排気室内の一方の長手方向内側面が他方の長手方向内側面よりも下方に位置する状態になったときに還流孔及び通気孔から漏出した電解液を溜める蓄液室と、電槽が転倒して各排気室の他方の長手内側面が一方の長手方向内側面よりも下方に位置する状態になったときに還流孔及び通気孔から漏出した電解液を溜める蓄液室と、電槽が転倒して各排気室の一方の幅方向内側面が他方の幅方向内側面よりも下方に位置する状態になったときに還流孔及び通気孔から漏出する電解液を溜める蓄液室と、電槽が転倒して各排気室の他方の幅方向内側面が一方の幅方向内側面よりも下方に位置する状態になったときに還流孔及び通気孔から漏出する電解液を溜める蓄液室とを含む複数の蓄液室が構成されている。
【０１００】
排気室Ｄ4及びＤ5内には、排気室Ｄ2及びＤ3内に設けられた仕切壁及び枝状突出壁と同様の仕切壁及び枝状突出壁が設けられている。排気室Ｄ4及びＤ5内の仕切壁及び枝状突出壁と、排気室Ｄ2及びＤ3内の仕切壁及び枝状突出壁とは左右対称に配置されていて、排気室Ｄ4内及びＤ5内に、還流孔ｈから個別排気口ｅ4及びｅ5に至る屈曲した流体流路と、電槽が転倒した際に還流孔ｈから漏出した電解液を溜めるための複数の蓄液室とが形成されている。
【０１０１】
図７に示されているように、各排気室の底面には、個別排気口から環流孔に向かって徐々に低くなっていくように傾斜がつけられていて、各排気室内の還流孔ｈから各排気室内に排出された後仕切壁や枝状突出壁に触れて液化した電解液のミストが、各排気室内の底面を伝って各排気室の環流孔ｈに戻るようになっている。
【０１０２】
図２及び図１２（Ｃ）に示したように、上蓋部５の長手方向の一端及び他端には、集中排気室Ｅ1及びＥ2を外部に開放するための排気孔３５が形成されている。集中排気室Ｅ1及びＥ2内には防爆フィルタ３６及び３７（図１２Ｂ参照）が収容され、排気室Ｄ1ないしＤ6の個別排気口ｅ1ないしｅ6から幅方向排気通路Ｐ1ないしＰ6と、第２または第３の長手方向流体通路Ｌ2またはＬ3と、第１または第２の幅方向流体通路Ｗ1またはＷ2と、第１の長手方向流体通路Ｌ1とを通して集中排気室Ｅ1及びＥ2内に流入した排気ガスが、フィルタ３６及び３７と排気孔３５とを通して外部に排出されるようになっている。
【０１０３】
本実施形態では、中蓋部４の排気室Ｄ2及びＤ5を構成する部分のコーナ部Ｃ4付近に排気室Ｄ2，Ｄ5の底壁を貫通した位置決め孔４０，４１が形成され、上蓋部５には、中蓋部４の位置決め孔４０，４１にそれぞれ圧入されて位置決め孔４０，４１を塞ぐ位置決め突起４２，４３が形成されている。上蓋部５の位置決め突起４２及び４３をそれぞれ中蓋部４の位置決め孔４０，４１に圧入することにより、上蓋部５が中蓋部４に対して位置決めされる。
【０１０４】
図８において、符号４５で示した部分は、蓋部３を電槽本体２に取り付ける際に電槽本体でセル室間を区画している隔壁の上端に溶着されて、電槽本体側の隔壁と共に、セル室間隔壁を形成する隔壁部である。また図５ないし図８において、符号４６で示した部分は、隔壁部４５を電槽本体２のセル室間の隔壁の上端に溶着する際に、電槽本体側のセル室間の隔壁の上端の側面に係合して、隔壁部４５を電槽本体側の隔壁に対して位置決めする位置決め用リブである。
【０１０５】
本実施形態の鉛蓄電池を組み立てる際には、電槽本体２の各セル室内に極板群を収容して、隣り合うセル室内の極板群の正極ストラップと負極ストラップとをセル室間を隔てている隔壁を貫通したセル間接続部により接続した後、蓋部３を電槽本体２の上端に取り付ける。次いで、中蓋部４に設けられている注液孔Ｈ1ないしＨ6から各セル室内に電解液を注入する。各セル室内に電解液を注入した後、中蓋部４の上に上蓋部５を配置して、中蓋部４の各部に上蓋部５の各部を溶着する。中蓋部４に上蓋部５を溶着する際に、上蓋部５の円筒壁２３′を中蓋部４の円筒壁２３に溶着して、注液孔Ｈ1ないしＨ6を閉じる。
【０１０６】
上記の鉛蓄電池においては、第１ないし第６のセル室内のガス圧が上昇したときに、これらのセル室から環流孔ｈを通して第１ないし第６の排気室Ｄ1ないしＤ6内に流出したガスが、それぞれの排気室内の屈曲した流体流路を通して個別排気口ｅ1ないしｅ6に達し、これらの排気孔から幅方向排気通路Ｐ1ないしＰ6に流入する。第１ないし第３の排気室Ｄ1ないしＤ3から幅方向排気通路Ｐ1ないしＰ3を通して流出した排気ガスは、第２の長手方向流体通路Ｌ2内に流入した後、第１の幅方向流体通路Ｗ1を通し第１の長手方向流体通路Ｌ1に流入する。また第４ないし第６の排気室Ｄ4ないしＤ6から幅方向排気通路Ｐ4ないしＰ6を通して流出した排気ガスは、第３の長手方向流体通路Ｌ3内に流入した後、第２の幅方向流体通路Ｗ2を通して第１の長手方向流体通路Ｌ1に流入する。第１の長手方向流体流路Ｌ1内に流入したガスは集中排気室Ｅ1またはＥ2に達して、それぞれの排気孔３５から外部に排出される。
【０１０７】
電槽１が倒れた場合には、セル室から環流孔ｈ及び通気孔２６ａを通して対応する排気室内に電解液が流出する。電槽の通常の倒れ方としては、電槽本体３がその幅方向のいずれかの端部を下にして倒れる倒れ方と、電槽本体３がその長手方向のいずれかの端部を下にして倒れる倒れ方とが考えられる。
【０１０８】
先ず電槽本体３がその幅方向の一端３ｃを下にして倒れて、排気室Ｄ1ないしＤ6内の環流孔ｈが個別排気口ｅ1ないしｅ6よりも下方に位置した状態になったとする。このとき、各セル室内から環流孔ｈ及び通気孔２６ａを通して対応する排気室内に電解液が流出するが、セル室内の空気の置換は行われないため、電解液の流出に伴ってセル室内の電解液面の上方の空間が負圧になり、この負圧がセル室内の電解液の水頭圧とバランスした時点で、電解液の流出が止まる。各排気室内の排気孔ｈから流出した電解液は、各排気室の内側面Ｓａ，Ｓｂと一方の内側面Ｓｃとにより囲まれた排気室内空間により構成された蓄液室内に溜まる。このとき、蓄液室内の電解液の液面レベルがセル室内の電解液の液面レベルを越えることはないから、電槽を倒した状態でわざと揺らしたり、傾けたりしたりしない限り、環流孔ｈと反対側の位置にある個別排気口に電解液が達することはなく、各排気室内から外部に電解液が流出することはない。電槽を倒した後正常な姿勢に戻すと、各排気室内の電解液は環流孔ｈを通して元のセル室内に戻るため、電槽内に設けられている一連のセル室内の電解液のレベルが不均一になることはない。
【０１０９】
次に、電槽本体がその幅方向の他端３ｄを下にして倒れて、排気室Ｄ1ないしｄ6内の環流孔ｈよりも個別排気口ｅ1ないしｅ6が下方に位置した状態になった場合を考える。このとき各セル室内の電解液が環流孔ｈを通して対応する排気室内に流出する。排気室Ｄ1及びＤ6内に流出した電解液は、各排気室の一方の長手方向内側面Ｓaと第１の仕切壁Ａ2と周壁部２７，２７′とにより囲まれた空間により構成された蓄液室内に溜り、排気室Ｄ2ないしＤ5内に流入した電解液は、各排気室の一方の長手方向内側面Ｓaと第１の仕切壁Ａ2と枝状突出壁ａ2とにより囲まれた空間により構成された蓄液室内に溜まる。各セル室の蓄液室内の電解液の液面レベルが環流孔ｈの下端のレベルに達すると、セル室内から排気室内への電解液の流出は止まる。
【０１１０】
電槽本体がその幅方向の他端３ｄを下にして転倒したとき、即ち、各排気室の個別排気口が還流孔よりも下方に位置する状態になったときには、各セル室の還流孔と個別排気口との間に複数の蓄液室が多段に構成されるため、上方に配置された蓄液室から電解液が溢れた場合には、溢れた電解液を下方に配置された蓄液室内に溜めることができる。従って、倒れた状態にある電槽を揺らしたような場合でも、漏出した電解液が個別排気口に達するのを防ぐことができ、各排気室から個別排気口を通して電解液が外に出るのを防ぐことができる。
【０１１１】
従って、この場合も、各排気室から長手方向流体通路Ｌ2，Ｌ3内に電解液が流出することはなく、電槽を倒した後正常な状態に戻すと、各排気室内の電解液はすべて環流孔を通して対応するセル室内に戻るため、一連のセル室内の電解液のレベルが不均一になることはない。
【０１１２】
また本実施形態では、排気室Ｄ1ないしＤ6の個別排気口ｅ1ないしｅ6を幅方向排気通路Ｐ1ないしＰ6を通して長手方向流体通路Ｌ2，Ｌ3に接続する構造としたため、個別排気口ｅ1ないしｅ6が還流孔ｈよりも下方に位置する状態になった際に万一個別排気口に電解液が達したとしても、長手方向流体通路Ｌ2，Ｌ3内にまで電解液が達することはなく、外部に電解液が漏出するおそれはない。
【０１１３】
次に、電槽本体２がその長手方向のいずれかの端部を下にして転倒した場合、例えば長手方向の一端（図３において右端）を下にして転倒した考える。この場合、排気室Ｄ1ないしＤ3内では、環流孔ｈ及び通気孔２６ａが個別排気口ｅ1ないしｅ3より下方に位置した状態になり、排気室Ｄ4ないしＤ6内では、個別排気口ｅ4ないしｅ6が還流孔ｈ及び通気孔２６ａよりも下方に位置した状態になる。
【０１１４】
排気室Ｄ1ないしＤ3内では、環流孔ｈ及び通気孔２６ａを通して電解液が漏出するが、セル室内の空気の置換は行われないため、電解液の流出に伴ってセル室内の電解液面より上方の空間が負圧になり、この負圧がセル室内の電解液の水頭圧とバランスした時点で、電解液の流出が止まる。排気室内に流出した電解液は、蓄液室内に溜まる。このとき排気室内の電解液の液面レベルは、セル室内の電解液の液面レベルを越えることはないため、環流孔ｈの対角位置にある個別排気口に電解液が達することはなく、各排気室内から外部に電解液が出ることはない。電槽を倒した後正常な状態に戻すと、各排気室内の電解液はすべて環流孔を通して対応するセル室内に戻るため、一連のセル室内の電解液のレベルが不均一になることはない。
【０１１５】
排気室Ｄ4ないしＤ6内でも、電解液が環流孔を通して対応する排気室内の電解液収容空間に流出するが、セル室内の電解液の液面レベルが環流孔ｈの下端のレベルに達すると、セル室内から排気室内への電解液の流出は止まる。セル室から排気室Ｄ4ないしＤ6内に流出した電解液は、先ず排気室の一方の内側面Ｓｃと仕切壁Ｂ2との間の蓄液室に溜り、この蓄液室内の電解液が溢れた場合には、溢れた電解液が、排気室Ｄ6内では仕切壁Ｂ2と仕切壁Ｂ1との間の蓄液室に、また排気室Ｄ4及びＤ5内では仕切壁Ｂ2と円筒壁２３，２３′（仕切壁Ｂ0）との間の蓄液室に流入する。従ってこの場合も、各排気室の個別排気口から電解液が漏れることはなく、電槽を倒した後正常な状態に戻すと、各排気室内の電解液はすべて環流孔を通して対応するセル室内に戻るため、一連のセル室内の電解液のレベルが不均一になることはない。
【０１１６】
また本実施形態では、各排気室内に形成された屈曲した流体流路の途中に、狭間隙ｇにより狭窄部が構成されているが、この狭間隙ｇの大きさは、電槽が転倒して還流孔ｈから流出した相当量の電解液が該狭間隙を通して流れようとしたときに空気の置換を許容しない閉塞状態になって（エアロック状態になって）電解液の通過を阻止するが、電槽が正常な姿勢に戻された際には、速やかに閉塞状態から液の通過を許容する状態に復帰するような大きさに設定しておく。狭間隙部をエアロック状態にするためには、該狭間隙の大きさをできるだけ小さくすればよいが、狭間隙の大きさを極端に小さくすると、該狭間隙が液で詰まって閉塞した状態のままになって電解液の還流を妨げるので好ましくない。従って狭間隙の大きさは、還流孔ｈに還流する電解液を流すために必要最小限の大きさで、かつ小さすぎない大きさに設定する。狭間隙ｈの大きさは、実験的に決定するが、発明者の実験によれば、例えば狭間隙の大きさ（隙間の大きさ）を２〜３mmに設定すると好結果が得られることが分かっている。
【０１１７】
各排気室内に形成された屈曲した流体流路の途中に、狭間隙ｇにより狭窄部を構成しておくと、電槽が倒れて還流孔から電解液が流出したときに各狭間隙の部分でエアロックを生じさせて電解液の流れを止めることができるため、蓄液室の容積が不足したり、電槽が倒れた状態で揺らされたり、電槽がその上面を下に向けて倒されたりして、還流孔から流出した電解液が流体流路内を流れようとしたときでも、排気室から外部に電解液が漏れ出るおそれを少なくすることができる。
【０１１８】
上記のように、本発明によれば、電槽が倒れたときに、各セル室から流出した電解液を各排気室内に構成される蓄液室内に溜めることができるため、電槽を倒した状態で電槽をわざと揺らしたり、電槽の上面を下にして倒したりしない限り、電槽から外部に電解液が漏れ出ることはない。また各排気室内に構成される流体流路を屈曲させて、その途中に狭窄部を設けたので、蓄液室の容積が不足していたり、電槽を倒した状態で電槽をわざと揺らしたり、電槽の上面を下にして倒したりした場合でも、各排気室内から外部に漏出する電解液の量を僅かとすることができ、電槽を正常な姿勢に戻した際に一連のセル室内の電解液のレベルが不均一になるのを防ぐことができる。
【０１１９】
上記の実施形態のように、仕切壁Ａ1，Ａ2，Ｂ1，Ｂ2を還流孔側に傾斜させた状態で設ける場合には、仕切壁だけでも蓄液室を構成できるが、傾斜させた仕切壁だけでは、十分な容量を有する蓄液室を形成することが困難である。上記実施形態のように、仕切壁から排気室の一方の内側面側に突出した枝状突出壁ａ1，ａ2，ｂ2を設けておくと、十分な容積を有する蓄液室を容易に構成することができる。
【０１２０】
前述のように、排気室内の屈曲した流体流路の狭窄部を構成する狭間隙ｇの大きさは、還流孔に還流する電解液を流すために必要最小限の大きさに設定する。即ち、各枝状突出壁の先端と他の仕切壁の側面または排気室の内側面との間の距離が、還流孔ｈに還流する液を狭間隙ｇを通して流すために必要最小限の大きさに設定される。狭間隙ｇを所定量以上の液の流れが通過しようとしたときには狭間隙が閉塞状態になって電解液の流れを阻止する効果を生じさせるように、狭間隙ｇの隙間を十分に小さく設定しておく。狭間隙ｇの適正な大きさは、例えば２ないし３mmである。
【０１２１】
また仕切壁の側面から一方の幅方向内側面Ｓｃ側に突出させて設ける板状の枝状突出壁の位置は、該枝状突出壁の側方に構成される蓄液室の容積を最大にするように選定するのが好ましい。従って、枝状突出壁の長さ及び枝状突出壁を設ける位置は、狭間隙ｇを所望の大きさとし、かつ該枝状突出壁の側方に構成される蓄液室の容積を最大にするように、仕切壁の傾斜角に応じて計算により決定する。
【０１２２】
例えば、図１３に示すように、第１の仕切壁Ａと、第２の仕切壁Ｂとが設けられていて、先端が狭間隙ｇを介して仕切壁Ａに対向する枝状突出壁ｂを、仕切壁Ｂの側面に設ける場合を考える。この場合、電槽の上面と平行な一平面上で、仕切壁Ｂと他方の長手方向内側面Ｓｂとの交点をｆ1、仕切壁Ｂの先端をｆ2、点ｆ2と枝状突出壁ｂの先端とを結ぶ直線が長手方向内側面Ｓｂと交わる点をｆ3とし、枝状突出壁ｂの長さをｙ、長手方向内側面Ｓｂから枝状突出壁部ｂまでの距離をｘ、仕切壁Ｂの長さをｕ，点ｆ1，ｆ3間の距離をｖ、仕切壁Ｂと枝状突出壁ｂとの交点から長手方向内側面Ｓｂ上に下ろした垂線と内側面Ｓｂとの交点と点ｆ1との間の距離をｗ、仕切壁Ｂが内側面Ｓｂに対してなす角をθとし、狭間隙ｇの大きさを一定（２〜３mm）すると、下記の式が成立する。
ｕ・sinθ : ｖ ＝（ｕ・sinθ−ｘ）：ｙ                            （１）
これより、
ｙ＝ｖ｛１−ｘ／（ｕ・sinθ）｝                                   （２）
蓄液室の容積は図１６の斜線部分の面積（蓄液室の断面積）Ｓと蓄液室の深さとの積で与えられる。蓄液室の断面積Ｓは、
Ｓ＝（ｗ・ｘ／２）＋ｘ・ｙ                                        （３）
ｗ＝ｘ／tanθであるから、（２）式と（３）式とから、
Ｓ＝｛（１／２tanθ）−（ｖ／ｕsinθ）｝・ｘ２ ＋ ｖ・ｘ           （４）
蓄液室の容積を最大にするには、断面積Ｓを最大にするようにｘを決めればよい。一例として、ｕ＝28.2mm、ｖ＝23mm、θ＝75°として（４）式を図示すると、図１４のようになる。これより、ｘ＝15mm とすれば、蓄液室の容積を最大にすることができることが分かる。図１４のＳoは、枝状突出壁ｂを設けずに仕切壁Ｂのみにより蓄液室を構成した場合の蓄液室の断面積であり、Ｓo＝99.4 mm２  である。図示の例では、枝状突出壁ｂを設けると、仕切壁Ｂのみにより蓄液室を構成する場合に比べて、ほぼ２倍の容積の蓄液室を得ることができる。
【０１２３】
上記の実施形態では、中蓋部４の長手方向の一端寄りに配置される３個の排気室Ｄ1ないしＤ3を、それぞれの一方の内側面Ｓｃを中蓋部の長手方向の一端側に位置させた状態で設け、中蓋部４の長手方向の他端寄りに配置される他の３個の排気室Ｄ4ないしＤ6は、それぞれの一方の内側面Ｓcを中蓋部４の長手方向の他端側に位置させた状態で設けている。このように構成しておくと、中蓋部４の長手方向の中央部に対して３個の排気室が左右対称に配置されるため、中蓋部４の長手方向の両端にそれぞれ配置された集中排気室と各排気室との間をつなぐガス流路の構成を、中蓋部４の長手方向の中央部に対して左右対称な構成とすることができ、各排気室と集中排気室との間をつなぐガス流路内の圧力をバランスさせて、各排気室からのガスの排気を均等に行わせることができる。
【０１２４】
上記の実施形態では、上蓋部５に注液孔を設けていないが、上蓋部に注液孔を設けて、該注液孔を栓で閉じる構造としてもよい。
【０１２５】
上記の実施形態では、各排気室の一対の幅方向内側面Ｓc及びＳdのうち、Ｓcを一方の幅方向内側面とし、Ｓdを他方の幅方向内側面としたが、Ｓd及びＳcをそれぞれ一方の幅方向内側面及び他方の幅方向内側面としてもよい。同様にＳｂを一方の長手方向内側面とし、Ｓａを他方の長手方向内側面としてもよい。
【０１２６】
上記の実施形態では、環流孔ｈを複数の孔の集合体により構成しているが、環流孔ｈは、単一の孔により構成してもよい。
【０１２７】
また還流孔ｈを大きめに構成するか、または還流孔ｈを構成する孔の数を増やす等して、還流孔ｈに通気孔としての機能をも持たせることにより、通気孔２６ａを省略することもできる。
【０１２８】
上記の実施形態のように、排気室の個別排気室を集中排気室に接続するために中蓋部と上蓋部との間に設ける流体通路を、中蓋部の幅方向の他端側を中蓋部の長手方向に伸びて端部が集中排気室に接続された第１の長手方向流体通路Ｌ1と、中蓋部の幅方向の一端側を長手方向に伸びる第２及び第３の長手方向流体通路Ｌ2及びＬ3と、第１の長手方向流体通路Ｌ1と第２の長手方向流体通路Ｌ2との間及び第１の長手方向流体通路Ｌ1と第３の長手方向流体通路Ｌ3との間をそれぞれ接続する第１及び第２の幅方向流体通路Ｗ1及びＷ2とを設けて、各排気室の個別排気口を第２の長手方向流体通路Ｌ2または第３の長手方向流体通路Ｌ3と第１または第２の幅方向流体通路Ｗ1またはＷ2とを通して第１の長手方向流体通路Ｌ1に接続する構造にすると、各排気室の個別排気口から集中排気室までの距離を稼ぐことができるため、各排気室の個別排気口から外部に電解液が漏出した場合に、当該電解液が集中排気に到達するまでの時間を長くすることができる。従って、上記の各実施形態のように構成すると、電槽を倒した際に電解液が外部に漏れるおそれをより少なくすることができるが、上記の実施形態においては、電槽を倒した際に排気室内に漏出する電解液を排気室内に設けた蓄液室に溜めるようにして、排気室から外部に電解液が流出するおそれを少なくするように配慮されているので、排気室の個別排気室を集中排気室に接続するために中蓋部と上蓋部との間に設ける流体通路の構成は上記実施形態で用いたものに限定されない。
【０１２９】
本発明においては、電槽の中蓋部と上蓋部との間に形成された各排気室内に、各排気室のいずれかの内側面から他の内側面側に突出して伸びて先端が該他の内側面に隙間を介して対向させられた仕切壁が少なくとも１つ設けられて、該仕切壁により各排気室内が前記隙間を通して相互に接続された複数の排気分室に仕切られている鉛蓄電池に、仕切壁の途中から突出して排気室の底面の傾斜の低い方に伸びる少なくとも１つの枝状突出壁が設けられて、仕切壁と枝状突出壁と排気室の内側面とにより、電槽が転倒した際に環流孔から流出する電解液を溜める蓄液室が各排気室内に少なくとも１つ形成されればよく、各排気室内の構成は上記実施形態に示したものに限定されない。
【符号の説明】
【０１３０】
１  電槽
２  電槽本体
３  蓋
４  中蓋部
４００  排気室構成部
５  上蓋部
３５  排気孔
Ｄ1〜Ｄ6 排気室
Ｅ1，Ｅ2  集中排気室
Ｈ1〜Ｈ6 電解液注入孔
Ｆ1〜Ｆ6 電解液還流部
ｈ  還流孔
ｅ1〜ｅ6  個別排気口
Ｐ1〜Ｐ6  幅方向排気通路
Ｌ1  第１の長手方向排気流路
Ｌ2  第２の長手方向排気流路
Ｌ3  第３の長手方向排気流路
Ｗ1  第１の幅方向排気流路
Ｗ2  第２の幅方向排気流路
Ａ0，Ａ1，Ａ2  第１の仕切壁
Ｂ0，Ｂ1，Ｂ2  第２の仕切壁
ａ01，ａ02 ，ａ1，ａ2  第１の枝状突出壁
ｂ2，ｂ21，ｂ22  第２の枝状突出壁
Ｇ0〜Ｇ5  排気分室
【図１】
2010272264.tif 000003
【図２】
2010272264.tif 000004
【図３】
2010272264.tif 000005
【図４】
2010272264.tif 000006
【図５】
2010272264.tif 000007
【図６】
2010272264.tif 000008
【図７】
2010272264.tif 000009
【図８】
2010272264.tif 000010
【図９】
2010272264.tif 000011
【図１０】
2010272264.tif 000012
【図１１】
2010272264.tif 000013
【図１２】
2010272264.tif 000014
【図１３】
2010272264.tif 000015
【図１４】
2010272264.tif 000016